(57)【要約】【課題】ＰＯＮシステムと映像システムとから成る伝送システム、そのＰＯＮシステム子機、映像システム子機、映像システム親機、及びＰＯＮシステム親機に関し、ＰＯＮシステム子機の電源断を短持間でＰＯＮシステム親機に通知する。【解決手段】ＰＯＮシステム子機（ＯＮＵ）１−１の電源断情報を、ローカルエリアネットワーク（ＬＡＮ）１−２を介して映像システム子機１−３に通知する。この通知は即時送信可能であり、ＰＯＮシステム子機（ＯＮＵ）１−１の電源スイッチオフ時に電荷を蓄えるコンデンサの容量は少量で済む。該電源断情報を受信した映像システム子機１−３は、ＯＡＭフレームに電源断情報をカプセリングして、映像システム親機１６−２に転送し、映像システム親機１６−２は、該ＰＯＮシステム子機（ＯＮＵ）電源断情報を、ＩＰフレームにカプセリングし、ＩＰネットワークを介してＰＯＮシステム親機１６−１へ転送する。【選択図】図１
2009147577.tif 000002
【特許請求の範囲】
【請求項１】
１芯構成の光ファイバを用いて波長多重により結合したＰＯＮシステムと映像システムとから成る伝送システムにおいて、
ＰＯＮシステム子機から該ＰＯＮシステム子機の電源断情報を、ローカルエリアネットワークを介して映像システム子機に通知する手段と、
前記映像システム子機から前記電源断情報を、映像システムにおける空き帯域を利用して映像システム親機へ転送する手段と、
前記映像システム親機から前記電源断情報を、ネットワークを介してＰＯＮシステム親機へ転送する手段と、
を備えたＰＯＮシステムと映像システムとから成る伝送システム。
【請求項２】
１芯構成の光ファイバを用いて波長多重により結合したＰＯＮシステムと映像システムとから成る伝送システムにおいて、
ＰＯＮシステム子機から該ＰＯＮシステム子機の電源断を、直流電圧信号線を通して映像システム子機に通知する手段と、
前記映像システム子機から前記電源断情報を、映像システムにおける空き帯域を利用して映像システム親機へ転送する手段と、
前記映像システム親機から前記電源断情報を、ネットワークを介してＰＯＮシステム親機へ転送する手段と、
を備えたＰＯＮシステムと映像システムとから成る伝送システム。
【請求項３】
１芯構成の光ファイバを用いて波長多重により結合したＰＯＮシステムと映像システムとから成る伝送システムにおいて、
ＰＯＮシステム子機から該ＰＯＮシステム子機の電源断情報を、電力線搬送通信装置を介して映像システム子機に通知する手段と、
前記映像システム子機から前記電源断情報を、映像システムにおける空き帯域を利用して映像システム親機へ転送する手段と、
前記映像システム親機から前記電源断情報を、ネットワークを介してＰＯＮシステム親機へ転送する手段と、
を備えたＰＯＮシステムと映像システムとから成る伝送システム。
【請求項４】
前記映像システム親機から前記電源断情報を、ＩＰネットワークを介してＰＯＮシステム親機へ転送する手段を備えたことを特徴とする請求項１乃至３の何れかに記載のＰＯＮシステムと映像システムとから成る伝送システム。
【請求項５】
前記映像システム親機から前記電源断情報を、ローカルエリアネットワークを介してＰＯＮシステム親機へ転送する手段を備えたことを特徴とする請求項１乃至３の何れかに記載のＰＯＮシステムと映像システムとから成る伝送システム。
【請求項６】
１芯構成の光ファイバを用いて波長多重により結合したＰＯＮシステムと映像システムとから成る伝送システムの映像システム子機において、
ＰＯＮシステム子機からローカルエリアネットワークを介して受信したＰＯＮシステム子機の電源断情報を、映像システムの保守・管理用のフレームにより、映像システム親機に転送する手段を備えた映像システム子機。
【請求項７】
１芯構成の光ファイバを用いて波長多重により結合したＰＯＮシステムと映像システムとから成る伝送システムのＰＯＮシステム子機において、
自装置の電源断を検出する電源断検出手段と、該電源断検出手段で電源断が検出されたとき、電源断情報と自装置のＭＡＣアドレスとを含むフレームを生成する手段と、該フレームにＬＡＮヘッダを追加したフレームを、ローカルエリアネットワークを介して映像システム親機へ送信する手段と、
を備えたＰＯＮシステム子機。
【請求項８】
１芯構成の光ファイバを用いて波長多重により結合したＰＯＮシステムと映像システムとから成る伝送システムの映像システム子機において、
ＰＯＮシステム子機から直流電圧信号線を通してＰＯＮシステム子機の電源断を検出する手段と、
該ＰＯＮシステム子機の電源断を検出したとき、該ＰＯＮシステム子機の電源断情報を、映像システムの保守・管理用のフレームにより、映像システム親機に転送する手段と、  を備えた映像システム子機。
【請求項９】
１芯構成の光ファイバを用いて波長多重により結合したＰＯＮシステムと映像システムとから成る伝送システムのＰＯＮシステム子機において、
自装置の電源部の出力電圧を示す端子に一端が接続され、他端が映像システム子機に接続された直流電圧信号線を備えたＰＯＮシステム子機。
【請求項１０】
１芯構成の光ファイバを用いて波長多重により結合したＰＯＮシステムと映像システムとから成る伝送システムの映像システム子機において、
ＰＯＮシステム子機から電力線搬送通信装置を介して受信したＰＯＮシステム子機の電源断情報を、映像システムの保守・管理用のフレームにより、映像システム親機に転送する手段を備えた映像システム子機。
【請求項１１】
１芯構成の光ファイバを用いて波長多重により結合したＰＯＮシステムと映像システムとから成る伝送システムのＰＯＮシステム子機において、
自装置の電源断を検出する電源断検出手段と、該電源断検出手段で電源断が検出されたとき、電源断情報と自装置のＭＡＣアドレスとを含むフレームを生成する手段と、該フレームにＩＰヘッダを追加したフレームを、電力線搬送通信装置を介して映像システム親機へ送信する手段と、
を備えたＰＯＮシステム子機。
【請求項１２】
１芯構成の光ファイバを用いて波長多重により結合したＰＯＮシステムと映像システムとから成る伝送システムの映像システム親機において、
映像システム子機から映像システムにおける空き帯域を利用して転送されたＰＯＮシステム子機の電源断情報を、ＩＰフレームにてカプセリングしてＩＰネットワークを介してＰＯＮシステム親機へ転送する手段を備えた映像システム親機。
【請求項１３】
１芯構成の光ファイバを用いて波長多重により結合したＰＯＮシステムと映像システムとから成る伝送システムのＰＯＮシステム親機において、
映像システム親機からＩＰネットワークを介して転送されたＩＰフレームのＰＯＮシステム子機の電源断情報を受信し、該ＰＯＮシステム子機の電源断情報をＯＡＭ処理部へ渡すＯＡＭ受信処理部と、
前記ＯＡＭ受信処理部から渡されるＰＯＮシステム子機の電源断情報を基に、電源がオフされたＰＯＮシステム子機認識するＯＡＭ処理部と、
を備えたＰＯＮシステム親機。
【請求項１４】
１芯構成の光ファイバを用いて波長多重により結合したＰＯＮシステムと映像システムとから成る伝送システムの映像システム親機において、
映像システム子機から映像システムにおける空き帯域を利用して転送されたＰＯＮシステム子機の電源断情報を、ＬＡＮフレームにてカプセリングしてローカルエリアネットワークを介してＰＯＮシステム親機へ転送する手段を備えた映像システム親機。
【請求項１５】
１芯構成の光ファイバを用いて波長多重により結合したＰＯＮシステムと映像システムとから成る伝送システムのＰＯＮシステム親機において、
映像システム親機からＩＰネットワークを介して転送されたＬＡＮフレームのＰＯＮシステム子機の電源断情報を受信し、該ＰＯＮシステム子機の電源断情報をＯＡＭ処理部へ渡すＯＡＭ受信処理部と、
前記ＯＡＭ受信処理部から渡されるＰＯＮシステム子機の電源断情報を基に、電源がオフされたＰＯＮシステム子機認識するＯＡＭ処理部と、
を備えたＰＯＮシステム親機。
【発明の詳細な説明】
【技術分野】
【０００１】
本発明は、ＰＯＮシステムと映像システムとから成る伝送システム、そのＰＯＮシステム子機、映像システム子機、映像システム親機、及びＰＯＮシステム親機に関する。
【背景技術】
【０００２】
ＰＯＮ（Passive Optical Network）システムは、１芯構成の光ファイバにより伝送される光信号を光カプラにより分岐／結合し、親機と子機とを１対多の接続構成とした通信システムである。このようなＰＯＮシステムに映像情報を多重化して配信するシステムとして、広い帯域を確保するために、波長多重により映像情報をＰＯＮシステムの１芯構成の通信路に組み込む方式が提案されている。
【０００３】
図１６は上記波長多重によるＰＯＮシステム及び映像システムのネットワーク構成例を示す。同図に示すように、ＰＯＮシステム親機１６−１と映像システム親機１６−２の信号は、波長分割多重装置１６−３により波長多重され、１芯構成の光ファイバ１６−４を通り、光カプラ１６−５により分岐／結合され、エンドユーザ宅内の波長分割多重装置１６−６により波長分離／多重され、ＰＯＮシステム子機１６−７及び映像システム子機１６−８に送出される。また、ＰＯＮシステム子機１６−７及び映像システム子機１６−８からの信号は、上記の経路の逆方向の経路で、それぞれ、ＰＯＮシステム親機１６−１及び映像システム親機１６−２に送出される。
【０００４】
ＰＯＮシステムにおいて、ＰＯＮシステム親機１６−１でＰＯＮシステム子機１６−７のリンク状態を監視する必要がある。但し、ＰＯＮシステム子機１６−７は、エンドユーザ宅内に設置されているため、ＰＯＮシステム子機１６−７の電源スイッチのオン／オフの操作は、エンドユーザに委ねられることになる。
【０００５】
ＰＯＮシステム子機１６−７の電源がオフにされれば、当然、ＰＯＮシステム親機１６−１とＰＯＮシステム子機１６−７とのリンクは切断されることとなるが、このエンドユーザの意図的な操作による電源オフによるリンク切断は、故障・障害によるリンク切断と分別する必要がある。
【０００６】
そのため、ＰＯＮシステム子機１６−７の電源断をＰＯＮシステム親機１６−１に通知する必要がある。ＰＯＮシステム子機１６−７の電源断をＰＯＮシステム親機１６−１に通知する場合、一般的な方法としては、コンデンサ等に一時的に電荷を蓄えておき、電源スイッチのオフ操作が行われたとき、該コンデンサの電荷による一時的な電源により、「電源断」を通知する方法が用いられる。
【０００７】
下記の特許文献１には、加入者側装置の外部電源がＯＦＦ状態になると、外部入力電源断検出部により外部電源断を検出して電源断予告送出部に通知し、内部電源生成部は外部電源のＯＦＦ状態を受けて内蔵コンデンサにより、一定時間、内部電源電圧を保持し、その後、自然放電により電源断となり、加入者側装置の電源ＯＦＦ状態を電源断予告情報として局側装置に通知する手段について記載されている。
【特許文献１】特開２００５−２０４１１３号公報（段落００１７等）
【発明の開示】
【発明が解決しようとする課題】
【０００８】
上述したように、ＰＯＮシステム子機１６−７は、その「電源断」をＰＯＮシステム親機１６−１に通知する必要があるが、ＰＯＮシステム子機１６−７は、ＰＯＮシステム親機１６−１からの「信号送出許可」を受信した後でなければ、信号を出力することができない。ＰＯＮシステムは、多数のＰＯＮシステム子機が１芯構成の光ファイバに接続されているため、複数のＰＯＮシステム子機同士の出力信号が衝突しないよう、各ＰＯＮシステム子機の信号出力タイミングが重なることなくずらしてある。
【０００９】
そのため、ＰＯＮシステム子機１６−７が、「電源断」をＰＯＮシステム親機１６−１に通知する信号出力を、長時間待った後に送出しなければならないこととなる。そのような場合、ＰＯＮシステム子機１６−７では、電源スイッチオフの操作が行われてから「電源断」の通知信号を送出するまで、相当長い時間に亘って、コンデンサに一時的に電荷を蓄えておかなければならず、大容量のコンデンサを設けておく必要があり、ＰＯＮシステム子機本体の体積の増大を招き、また、その分コストアップに繋がるという問題があった。
【００１０】
本発明は、ＰＯＮシステム子機の電源スイッチオフの操作が行われてから「電源断」の通知信号を送出するまでの時間を短縮化することによって、一時的に電荷を蓄えておくコンデンサを小容量のものとすることができるようにする。
【課題を解決するための手段】
【００１１】
上記課題を解決するために本発明は、１芯構成の光ファイバを用いて波長多重により結合したＰＯＮシステムと映像システムとから成る伝送システムにおいて、ＰＯＮシステム子機から該ＰＯＮシステム子機の電源断情報を、ローカルエリアネットワークを介して映像システム子機に通知する手段と、前記映像システム子機から前記電源断情報を、映像システムにおける空き帯域を利用して映像システム親機へ転送する手段と、前記映像システム親機から前記電源断情報を、ネットワークを介してＰＯＮシステム親機へ転送する手段と、を備えたものである。
【００１２】
また、ＰＯＮシステム子機から該ＰＯＮシステム子機の電源断を、直流電圧信号線を通して映像システム子機に通知する手段と、前記映像システム子機から前記電源断情報を、映像システムにおける空き帯域を利用して映像システム親機へ転送する手段と、前記映像システム親機から前記電源断情報を、ネットワークを介してＰＯＮシステム親機へ転送する手段と、を備えたものである。
【００１３】
また、ＰＯＮシステム子機から該ＰＯＮシステム子機の電源断情報を、電力線搬送通信装置を介して映像システム子機に通知する手段と、前記映像システム子機から前記電源断情報を、映像システムにおける空き帯域を利用して映像システム親機へ転送する手段と、前記映像システム親機から前記電源断情報を、ネットワークを介してＰＯＮシステム親機へ転送する手段と、を備えたものである。
【００１４】
また、前記映像システム親機から前記電源断情報を、ＩＰネットワークを介してＰＯＮシステム親機へ転送する手段を備えたものである。また、前記映像システム親機から前記電源断情報を、ローカルエリアネットワークを介してＰＯＮシステム親機へ転送する手段を備えたものである。
【発明の効果】
【００１５】
本発明によれば、ＰＯＮシステム子機の電源断情報を、映像システムを介してＰＯＮシステム親機に通知することにより、ＰＯＮシステム子機から映像システム子機への電源断情報の送出を短時間で完了することができ、ＰＯＮシステム子機の電源スイッチをオフにする操作が行われてから「電源断」の通知信号を送出するために一時的に電荷を蓄えておくコンデンサ等を小容量のものとすることができ、ＰＯＮシステム子機の小型化、低コスト化を図ることができる。
【発明を実施するための最良の形態】
【００１６】
１芯のＰＯＮシステムで映像情報を波長多重して伝送するシステムにおいて、映像情報の帯域の空き情報を監視し、ＰＯＮシステム子機からの送出フレームを、映像情報の空き帯域で送出するようにする。映像情報システムにおいては、下り方向の映像情報データの送信が主な信号流であり、上り方向の信号はほぼ流れない。そこで、この上り方向の空き帯域を利用して、ＰＯＮシステムの「電源断」の情報を通知する。
【００１７】
図１はＰＯＮシステム子機と映像システム子機との第１の接続形態を示す。この実施形態は、１芯のＰＯＮシステムで映像情報を波長多重して伝送するシステムにおいて、ＰＯＮシステム子機と映像システム子機とをローカルエリアネットワーク（ＬＡＮ）により接続し、ＰＯＮシステム子機からの送出フレームを、映像情報の空き帯域で送出するようにしたものである。
【００１８】
図１に示すように、ＰＯＮシステム子機（ＯＮＵ）１−１の電源断情報を、映像システム子機１−３にて検出可能とするために、ＰＯＮシステム子機（ＯＮＵ）１−１と映像システム子機１−３とをエンドユーザ宅内にてローカルエリアネットワーク（ＬＡＮ）１−２を使用して相互接続する。
【００１９】
自装置の電源断を検出したＰＯＮシステム子機（ＯＮＵ）１−１は、映像システム子機１−３に電源断情報をイーサネット（登録商標）フレームにより通知する。ＰＯＮシステム子機（ＯＮＵ）１−１は、ユーザ宅内のローカルエリアネットワーク（ＬＡＮ）１−２を使用して電源断情報を通知するので、即時送信可能であり、ＰＯＮシステム子機（ＯＮＵ）１−１の電源スイッチオフ時に電荷を蓄えるコンデンサの容量は少量で済む。
【００２０】
ＰＯＮシステム子機（ＯＮＵ）１−１から電源断情報の通知フレームを受信した映像システム子機１−３は、映像システムにおける保守・管理用のＯＡＭ（operations，administration，maintenance）フレームに、電源断情報をカプセリングして、映像システム親機１６−２に転送する。ＯＡＭフレーム上は、ヘッダ内にＰＯＮシステム子機（ＯＮＵ）電源断を示すコードを付与しておく。
【００２１】
ＯＡＭフレームを受信した映像システム親機１６−２は、該ＯＡＭフレームのヘッダよりＰＯＮシステム子機（ＯＮＵ）電源断の情報であることを認識すると、該ＰＯＮシステム子機（ＯＮＵ）電源断情報を、ＩＰ（Internet Protocol）フレームにカプセリングし、ＩＰネットワークを介してＰＯＮシステム親機１６−１へ転送する。
【００２２】
図２はＰＯＮシステム子機と映像システム子機との第２の接続形態を示す。この実施形態は、１芯のＰＯＮシステムで映像情報を波長多重して伝送するシステムにおいて、ＰＯＮシステム子機と映像システム子機とを直流電圧信号線により接続し、映像システム子機はＰＯＮシステム子機の電源断を検出し、映像情報帯域の空き情報を監視し、ＰＯＮシステムの子機の電源断情報のフレームを、映像情報の空き帯域で送出するようにしたものである。
【００２３】
図２に示すように、ＰＯＮシステム子機（ＯＮＵ）２−１の電源断情報を、映像システム子機２−３にて検出可能とするために、ＰＯＮシステム子機（ＯＮＵ）２−１と映像システム子機２−３とをエンドユーザ宅内にて直流電圧信号線２−２で相互接続する。ＰＯＮシステム子機（ＯＮＵ）２−１の電源が切断されると、映像システム子機２−３は、それを直流電圧信号線の電圧低下により検出する。この構成では、ＰＯＮシステム子機（ＯＮＵ）２−１の電圧源を維持するコンデンサは不要となる。
【００２４】
この際、ＰＯＮシステム子機（ＯＮＵ）２−１からは何もフレームを送出しないため、映像システム子機２−３にて、ＰＯＮシステム用のＯＡＭフレームを生成する。また、ＰＯＮシステム親機にて、電源断情報のＯＡＭフレームの送出元ＰＯＮシステム子機（ＯＮＵ）を特定する必要があるので、映像システム子機２−３にて、ＰＯＮシステム子機（ＯＮＵ）２−１のＭＡＣアドレスを付与する。このために、事前にＰＯＮシステム子機（ＯＮＵ）２−１のＭＡＣアドレスを登録しておくことが可能な構成にする。
【００２５】
図３はＰＯＮシステム子機と映像システム子機との第３の接続形態を示す。この実施形態は、１芯のＰＯＮシステムで映像情報を波長多重して伝送するシステムにおいて、ＰＯＮシステム子機と映像システム子機とを電力線搬送通信（ＰＬＣ：Power Line Communication）装置により接続し、ＰＯＮシステム子機からの送出フレームを、映像情報の空き帯域で送出するようにしたものである。
【００２６】
図３に示すように、ＰＯＮシステム子機（ＯＮＵ）３−１の電源断情報を、映像システム子機３−３にて検出可能とするために、ＰＯＮシステム子機（ＯＮＵ）３−１と映像システム子機３−３とをエンドユーザ宅内にて電力線搬送通信（ＰＬＣ）装置３−２１，３−２２を使用して相互接続する。
【００２７】
自装置の電源断を検出したＰＯＮシステム子機（ＯＮＵ）３−１は、映像システム子機３−３に電源断情報をＩＰフレームにより通知する。ＰＯＮシステム子機（ＯＮＵ）３−１は、ユーザ宅内の電力線搬送通信（ＰＬＣ）装置３−２１，３−２２を使用して電源断情報を通知するので、即時送信可能であり、ＰＯＮシステム子機（ＯＮＵ）３−１の電源スイッチオフ時に電荷を蓄えるコンデンサの容量は少量で済む。
【００２８】
ＰＯＮシステム子機（ＯＮＵ）３−１から電源断情報の通知フレームを受信した映像システム子機３−３は、映像システムにおける保守・管理用のＯＡＭフレームに、電源断情報をカプセリングして、映像システム親機１６−２に転送する。ＯＡＭフレーム上は、ヘッダ内にＰＯＮシステム子機（ＯＮＵ）電源断を示すコードを付与しておく。
【００２９】
図４は、ＰＯＮシステム親機と映像システム親機との第１の接続形態を示す。前述の第１〜第３の実施形態で説明したように、映像システム子機から保守・管理用のＯＡＭフレームにカプセリングした電源断情報を受信した映像システム親機４−２は、該ＯＡＭフレームのヘッダよりＰＯＮシステム子機（ＯＮＵ）電源断の情報であることを認識し、該ＰＯＮシステム子機（ＯＮＵ）電源断情報を、ＩＰ（Internet Protocol）フレームにカプセリングし、ＩＰネットワーク４−３を介してＰＯＮシステム親機４−１へ転送する。
【００３０】
図５は、ＰＯＮシステム親機と映像システム親機との第２の接続形態を示す。この実施形態では、映像システム子機から保守・管理用のＯＡＭフレームにカプセリングした電源断情報を受信した映像システム親機５−２は、該ＯＡＭフレームのヘッダよりＰＯＮシステム子機（ＯＮＵ）電源断の情報であることを認識し、該ＰＯＮシステム子機（ＯＮＵ）電源断情報を、イーサネット（登録商標）フレームにカプセリングし、ローカルエリアネットワーク（ＬＡＮ）５−３を介してＰＯＮシステム親機５−１へ転送する。
【００３１】
図６は、ＰＯＮシステム子機とＬＡＮ接続する映像システム子機を示す。１芯のＰＯＮシステムで映像情報を波長多重して伝送するシステムの映像システム子機において、ＰＯＮシステム子機から送出された、電源断情報を含むイーサネット（登録商標）フレームを、ＯＮＵパケット受信処理部６−１で受信してイーサネット（登録商標）フレームのヘッダを外し、ＯＡＭ追加処理部６−２において、映像システム用のＯＡＭフレームにより、電源断情報及びＰＯＮシステム子機（ＯＮＵ）のＭＡＣアドレスをカプセリングして、該ＯＡＭフレームをＯＡＭフレーム送出処理部６−３により映像システム親機へ送信する。
【００３２】
図７は、映像システム子機とＬＡＮ接続するＰＯＮシステム子機を示す。１芯のＰＯＮシステムで映像情報を波長多重して伝送するシステムのＰＯＮシステム子機において、電源断検出部７−１は、自装置の電源スイッチオフによる電源断を検出し、該電源断検出信号をＯＡＭフレーム生成処理部７−２へ出力する。
【００３３】
ＯＡＭフレーム生成処理部７−２は、上記電源断検出信号を受信すると、当該ＰＯＮシステム子機（ＯＮＵ）のＭＡＣアドレスと電源断情報とを含むＯＡＭフレームを生成し、該ＯＡＭフレームをＬＡＮヘッダ追加処理部７−３へ送出する。ＬＡＮヘッダ追加処理部７−３は上記ＯＡＭフレームに、イーサネット（登録商標）フレームのヘッダを付して、映像システム子機へ送信する。
【００３４】
図８は、ＰＯＮシステム子機と直流電圧信号線で接続する映像システム子機を示す。１芯のＰＯＮシステムで映像情報を波長多重して伝送するシステムの映像システム子機において、ＯＮＵ  ＭＡＣアドレス情報登録部８−１に、ＰＯＮシステム子機（ＯＮＵ）のＭＡＣアドレス情報を事前に登録しておく。
【００３５】
直流電圧信号によりＰＯＮシステム子機（ＯＮＵ）の電源断をＯＮＵ電源断検出部８−３で検出すると、該検出情報は、ＯＮＵ電源断通知フレーム生成部８−２に送出され、ＯＮＵ電源断通知フレーム生成部８−２は、該検出情報の入力により、ＯＮＵ  ＭＡＣアドレス情報登録部８−１に登録されているＭＡＣアドレスを読み出して、ＰＯＮシステム子機（ＯＮＵ）電源断通知のＰＯＮシステム用ＯＡＭフレームを生成し、該ＯＡＭフレームをＯＡＭ追加処理部８−４に送出する。ＯＡＭ追加処理部８−４は、該ＯＡＭフレームを映像情報システム用のＯＡＭフレームにてカプセリングして、映像システム親機へ転送する。
【００３６】
図９は、映像システム子機と直流電圧信号線で接続するＰＯＮシステム子機を示す。１芯のＰＯＮシステムで映像情報を波長多重して伝送するシステムのＰＯＮシステム子機において、電源部９−１の出力電圧を示す端子に直流電圧信号線９−２の一端を接続し、該直流電圧信号線９−２の他端を映像システム子機に接続する。
【００３７】
図１０は、ＰＯＮシステム子機と電力線搬送（ＰＬＣ）装置で接続する映像システム子機を示す。１芯のＰＯＮシステムで映像情報を波長多重して伝送するシステムの映像システム子機において、ＰＯＮシステム子機から送出された、電源断情報及びＰＯＮシステム子機（ＯＮＵ）のＭＡＣアドレスを含むＩＰフレームを、ＩＰデータグラム受信処理部１０−１で受信してＩＰフレームのＩＰヘッダを外し、ＯＮＵパケット受信処理部１０−２で該電源断情報の受信パケットを受信処理し、ＯＡＭ追加処理部１０−３にで、映像システム用のＯＡＭフレームにより、電源断情報及びＰＯＮシステム子機（ＯＮＵ）のＭＡＣアドレスをカプセリングして、該ＯＡＭフレームをＯＡＭフレーム送出処理部１０−４により映像システム親機へ送信する。
【００３８】
図１１は、映像システム子機と電力線搬送（ＰＬＣ）装置で接続するＰＯＮシステム子機を示す。１芯のＰＯＮシステムで映像情報を波長多重して伝送するシステムのＰＯＮシステム子機において、電源断検出部１１−１は、自装置の電源スイッチオフによる電源断を検出し、該電源断検出信号をＯＡＭフレーム生成処理部１１−２へ出力する。
【００３９】
ＯＡＭフレーム生成処理部１１−２は、上記電源断検出信号を受信すると、当該ＰＯＮシステム子機（ＯＮＵ）のＭＡＣアドレスと電源断情報とを含むＯＡＭフレームを生成し、該ＯＡＭフレームをＩＰ処理部１１−３へ送出する。ＩＰ処理部１１−３は上記ＯＡＭフレームにＩＰヘッダを付し、電力線搬送装置（ＰＬＣ）を介して映像システム子機へ送信する。
【００４０】
図１２は、ＩＰネットワークを使用して情報を転送する映像システム親機を示す。映像システム子機からのＯＡＭフレームを、ＯＡＭフレーム受信処理部１２−１で受信処理し、ＯＡＭ処理部１２−２でＯＡＭフレームのカプセリングを外し、電源断情報及びＰＯＮシステム子機（ＯＮＵ）のＭＡＣアドレスを含むパケットを、ＯＮＵパケット受信処理部１２−３で受信処理し、ＩＰデータグラム送信処理部１２−４で、該パケットをＩＰフレームにてカプセリングし、ＩＰネットワークを介してＰＯＮシステム親機へ転送する。
【００４１】
図１３は、ＩＰネットワークを使用して情報を受信するＰＯＮシステム親機を示す。映像システム親機から、ＩＰフレームにてカプセリングした電源断情報及びＰＯＮシステム子機（ＯＮＵ）のＭＡＣアドレスを含むパケットを、ＩＰデータグラム受信処理部１３−１でＩＰヘッダを外し、ＯＡＭ受信処理部１３−２で該パケットを受信処理し、電源断情報及びＰＯＮシステム子機（ＯＮＵ）のＭＡＣアドレスを、ＯＡＭ処理部１３−３へ渡す。ＯＡＭ処理部１３−３は、電源断情報及びＰＯＮシステム子機（ＯＮＵ）のＭＡＣアドレスを受信し、当該ＰＯＮシステム子機（ＯＮＵ）で電源がオフされたことを認識する。
【００４２】
図１４は、ローカルエリアネットワーク（ＬＡＮ）を使用して情報を転送する映像システム親機を示す。映像システム子機からのＯＡＭフレームを、ＯＡＭフレーム受信処理部１４−１で受信処理し、ＯＡＭ処理部１４−２でＯＡＭフレームのカプセリングを外し、電源断情報及びＰＯＮシステム子機（ＯＮＵ）のＭＡＣアドレスを含むパケットを、ＯＮＵパケット受信処理部１４−３で受信処理し、イーサネット（登録商標）フレーム送信処理部１４−４で、該パケットをイーサネット（登録商標）フレームにてカプセリングし、ローカルエリアネットワーク（ＬＡＮ）を介してＰＯＮシステム親機へ転送する。
【００４３】
図１５は、ローカルエリアネットワーク（ＬＡＮ）を使用して情報を受信するＰＯＮシステム親機を示す。映像システム親機から、イーサネット（登録商標）フレームにてカプセリングした電源断情報及びＰＯＮシステム子機（ＯＮＵ）のＭＡＣアドレスを含むパケットを、ＩＰデータグラム受信処理部１５−１でイーサネット（登録商標）ヘッダを外し、ＯＡＭ受信処理部１５−２で該パケットを受信処理し、電源断情報及びＰＯＮシステム子機（ＯＮＵ）のＭＡＣアドレスを、ＯＡＭ処理部１５−３へ渡す。ＯＡＭ処理部１５−３は、電源断情報及びＰＯＮシステム子機（ＯＮＵ）のＭＡＣアドレスを受信し、当該ＰＯＮシステム子機（ＯＮＵ）で電源がオフされたことを認識する。
【図面の簡単な説明】
【００４４】
【図１】ＰＯＮシステム子機と映像システム子機との第１の接続形態を示す図である。
【図２】ＰＯＮシステム子機と映像システム子機との第２の接続形態を示す図である。
【図３】ＰＯＮシステム子機と映像システム子機との第３の接続形態を示す図である。
【図４】ＰＯＮシステム親機と映像システム親機との第１の接続形態を示す図である。
【図５】ＰＯＮシステム親機と映像システム親機との第２の接続形態を示す図である。
【図６】ＰＯＮシステム子機とＬＡＮ接続する映像システム子機を示す図である。
【図７】映像システム子機とＬＡＮ接続するＰＯＮシステム子機を示す図である。
【図８】ＰＯＮシステム子機と直流電圧信号線で接続する映像システム子機を示す図である。
【図９】映像システム子機と直流電圧信号線で接続するＰＯＮシステム子機を示す図である。
【図１０】ＰＯＮシステム子機と電力線搬送（ＰＬＣ）装置で接続する映像システム子機を示す図である。
【図１１】映像システム子機と電力線搬送（ＰＬＣ）装置で接続するＰＯＮシステム子機を示す図である。
【図１２】ＩＰネットワークを使用して情報を転送する映像システム親機を示す図である。
【図１３】ＩＰネットワークを使用して情報を受信するＰＯＮシステム親機を示す図である。
【図１４】ローカルエリアネットワーク（ＬＡＮ）を使用して情報を転送する映像システム親機を示す図である。
【図１５】ローカルエリアネットワーク（ＬＡＮ）を使用して情報を受信するＰＯＮシステム親機を示す図である。
【図１６】波長多重によるＰＯＮシステム及び映像システムのネットワーク構成例を示す図である。
【符号の説明】
【００４５】
１−１  ＰＯＮシステム子機（ＯＮＵ）
１−２  ローカルエリアネットワーク（ＬＡＮ）
１−３  映像システム子機
１６−１  ＰＯＮシステム親機
１６−２  映像システム親機
１６−３  波長分割多重装置
１６−４  光ファイバ
【図１】
2009147577.tif 000003
【図２】
2009147577.tif 000004
【図３】
2009147577.tif 000005
【図４】
2009147577.tif 000006
【図５】
2009147577.tif 000007
【図６】
2009147577.tif 000008
【図７】
2009147577.tif 000009
【図８】
2009147577.tif 000010
【図９】
2009147577.tif 000011
【図１０】
2009147577.tif 000012
【図１１】
2009147577.tif 000013
【図１２】
2009147577.tif 000014
【図１３】
2009147577.tif 000015
【図１４】
2009147577.tif 000016
【図１５】
2009147577.tif 000017
【図１６】
2009147577.tif 000018